(57)【要約】【課題】自然換気を効率よく行うことができる建物を提供する。【解決手段】建物本体と、この建物本体の上部に設けられた屋根４とを備えて構成された建物であって、前記建物本体は、外気を室内に取り入れる流入口２７０Ａと、複数の部屋を通り前記流入口から取り入れられた外気が通る通路と、この通路中の天井の一部に通路の他の部分の天井よりも上方に突出して、天井位置が高く形成された換気用天井２５５と、前記流入口から流入されて、換気用天井２５５に溜まった空気を排出する排気口２５２と、を備えており、前記流入口は、所定の季節に風が最も頻繁に吹く方向に面して設けられ、換気用天井２５５を有する部屋２５は、前記建物本体と屋根４との間に形成された小屋裏５内に当該換気用天井部分が突出する状態で設けられ、排気口２５２は、換気用天井２５５に溜まった空気を小屋裏５内に排出可能に設けられていることを特徴とする。【選択図】図３
2007002666.tif 000002
【特許請求の範囲】
【請求項１】
建物本体と、この建物本体の上部に設けられた屋根とを備えて構成された建物であって、
前記建物本体は、外気を室内に取り入れる流入口と、複数の部屋を通り前記流入口から取り入れられた外気が通る通路と、この通路中の天井の一部に前記通路の他の部分の天井よりも上方に突出して、天井位置が高く形成された換気用天井と、前記流入口から流入されて、前記換気用天井に溜まった空気を排出する排気口と、を備えており、
前記流入口は、所定の季節に風が最も頻繁に吹く方向に面して設けられ、
前記換気用天井を有する部屋は、前記建物本体と前記屋根との間に形成された小屋裏内に当該換気用天井部分が突出する状態で設けられ、
前記排気口は、前記換気用天井に溜まった空気を前記小屋裏内に排出可能に設けられている
ことを特徴とする建物。
【請求項２】
請求項１に記載の建物において、
前記屋根には、前記小屋裏内と建物外部とを連通する排気塔が設けられており、
前記換気用天井に溜まった空気は前記排気口から前記小屋裏内へと排出され、当該小屋裏内の空気は前記排気塔を介して建物外部に排出される
ことを特徴とする建物。
【請求項３】
請求項１または請求項２に記載の建物において、
前記換気用天井を有する部屋は、収納部として利用される
ことを特徴とする建物。
【発明の詳細な説明】
【技術分野】
【０００１】
本発明は、自然換気を行うことができる建物に関する。
【背景技術】
【０００２】
近年、空調機器の発達に伴い、空調機器を利用して冷暖房を行うようになっている。そのため、住宅等の建物においては、空調効果を高めるために、屋内外の空気の出入りを遮断し、室内の熱が屋外に漏れないようにし、建物の内部の空調におけるエネルギー損失を少なくするために、室内の気密性および断熱性を高くした高気密・高断熱建物が利用されている。
【０００３】
このような高気密・高断熱建物では、屋内外の空気の出入りを遮断しているため、当該建物の換気を十分に行う必要がある。
そこで、高気密・高断熱建物の換気を行うために、当該建物内における居室等の仕切られた複数の空間をまとめて換気するセントラル換気装置が利用されている（例えば、特許文献１参照）。
しかし、このような換気装置を用いると換気装置の設置にコストがかかる上、多くのエネルギーを消費するため、特に夏においては、換気装置を用いず自然換気を行うことも望まれている。
ところで、従来の自然換気は各部屋の窓やドアをあけて建物内に外気を導入し、建物内部の空気と入れ換えて行われていた。
【０００４】
【特許文献１】特開平１１−３４４２５３号公報
【発明の開示】
【発明が解決しようとする課題】
【０００５】
しかし、各部屋の窓やドアを開けただけでは、暖かい空気は各部屋の天井付近に溜まってしまうという問題があった。また、風が吹き付ける方向に面して窓やドアが設けられているとは限らないので換気効率を高めることが困難であった。
【０００６】
本発明の目的は、自然換気を効率よく行うことができる建物を提供することである。
【課題を解決するための手段】
【０００７】
そのため、本発明は以下の構成を採用して目的を達成しようとするものである。
請求項１に記載の発明は、建物本体３と、この建物本体３の上部に設けられた屋根４とを備えて構成された建物１であって、建物本体３は、外気を室内に取り入れる流入口２７０Ａ，３００Ａと、複数の部屋を通り流入口２７０Ａ，３００Ａから取り入れられた外気が通る通路と、この通路中の天井の一部に通路の他の部分の天井よりも上方に突出して、天井位置が高く形成された換気用天井２５５と、流入口２７０Ａ，３００Ａから流入されて、換気用天井２５５に溜まった空気を排出する排気口２５２と、を備えており、流入口２７０Ａ，３００Ａは、所定の季節に風が最も頻繁に吹く方向に面して設けられ、換気用天井２５５を有する部屋２５は、建物本体３と屋根４との間に形成された小屋裏５内に当該換気用天井部分が突出する状態で設けられ、排気口２５２は、換気用天井２５５に溜まった空気を小屋裏５内に排出可能に設けられていることを特徴とする。
【０００８】
請求項２に記載の発明は、請求項１に記載の建物１において、屋根４には、小屋裏５内と建物１外部とを連通する排気塔８が設けられており、換気用天井２５５に溜まった空気は排気口２５２から小屋裏５内へと排出され、当該小屋裏５内の空気は排気塔８を介して建物外部に排出されることを特徴とする。
【０００９】
請求項３に記載の発明は、請求項１または請求項２に記載の建物１において、換気用天井２５５を有する部屋２５は、収納部として利用されることを特徴とする。
【００１０】
なお、本発明の第１の参考例は、外気を室内に取り入れる流入口１５０Ａ，１７０Ａ，１５０Ｂ，１７０Ｂ，２７０Ａ，３００Ａが形成された建物１であって、複数の部屋を通り前記流入口から取り入れられた外気が通る通路と、この通路中の天井の一部に前記通路の他の部分の天井よりも上方に突出して、天井位置が高く形成された換気用天井１３５，２５５と、前記流入口から流入されて、前記換気用天井に溜まった空気を排出する排気口２５０Ｂ，２５２とを有し、前記流入口は、所定の季節に風が最も頻繁に吹く方向に面して設けられていることを特徴とする。
【００１１】
ここで、流入口とは、屋外に面した部屋等に設けられ、外気を直接取り込むことができる開口を意味し、通常は建物の外壁に設けられた窓やドアで構成される。
排気口は、換気用天井に溜まった空気を屋外へ直接排出する窓等の開口でもよく、小屋裏等の非居室空間に排出するための開口でもよい。後者の開口から排出された空気は非居室空間を介して屋外へ排出される。
また、風が最も頻繁に吹く方向に面して流入口を設けるとは、風が吹く方向に直交した面に流入口を設ける場合のみならず、建物の角に向かって風が吹き付ける場合にはその角を構成する二面のうち、一方または双方に流入口を設けることをいう。
【００１２】
このような構成によれば、建物には外気を取り入れる流入口及び排気口が設けられているため、建物内部を外気が通り、換気装置を用いずに建物内部の自然換気を行うことができ、省エネルギーを図ることができる。また、外気が通る通路中の天井の一部に他の部分の天井よりも天井位置が高く形成された換気用天井が形成されているため、換気用天井付近にたまる空気も、排気口から排気することができる。従って、建物内部の空気の流れがよくなり、より効率的に自然換気を行うことができる。また、換気用天井の下方の居住空間には暖かい空気は溜まらず、居住空間の快適化を図ることができる。
さらに、流入口は、所定の季節、例えば、夏の最も風が頻繁に吹く方向に面して設けられているため、効率よく建物内に外気を取り入れることができる。
また、外気の通路は複数の部屋を通って形成されているため、外気を取り入れにくい部屋があっても、その部屋を通るように外気の通路を形成することでその部屋の換気が可能となる。
【００１３】
本発明の第２の参考例は、前記第１の参考例の建物において、前記流入口には縦軸回転窓１５０Ａ，１７０Ａが取り付けられていることを特徴とする。
このような構成によれば、流入口に縦軸回転窓が設けられており、風向きにあわせて回転窓の開口角度を調節することで、より効率よく外気を建物内部に取り入れることができる。
【００１４】
本発明の第３の参考例は、前記第１または第２の参考例の建物において、前記流入口１５０Ｂ，１７０Ｂは所定の季節に風が最も頻繁に吹く方向に面して設けられた部屋１５，１７の外壁の下部に設けられており、前記流入口から流入された外気は、前記部屋の天井近傍から排出されて他の部屋へ流れることを特徴とする。
このような構成によれば、部屋の外壁の下部に流入口が形成されているため、部屋の下方から外気を取り入れ、天井近傍から排出させることができる。従って、上昇流により室内全体を換気することができる。
【００１５】
本発明の第４の参考例は、前記第１〜３の何れかの参考例の建物において、前記換気用天井の床面からの高さ寸法は、居住者の身長よりも高いことを特徴とする。
このような構成によれば、居住者の身長よりも高い位置に換気用天井が形成されていれば、換気用天井に集められる暖かい空気を居住者が感じることが無く、居住空間を快適なものとすることができる。
【００１６】
本発明の第５の参考例は、前記第１〜４の何れかの参考例の建物において、前記換気用天井が設けられた部屋２５には、換気用天井２５５とこの換気用天井よりも低い位置に形成された天井とが設けられ、前記換気用天井を支持する壁の換気用天井の下方で、かつ前記天井の高さ位置以下には梁９が掛け渡されていることを特徴とする。
このような構成によれば、換気用天井を支持する壁に梁を設けることで、換気用天井の支持強度を高めることができる。
また、換気用天井が設けられた部屋の換気用天井よりも低い位置に形成されている天井の高さを低くし、この部屋を蔵等とした場合、前記天井の下方は居室として取り扱われず、建物の床面積に算入されない。しかし、換気用天井は天井高さが高いため、換気用天井の下方は通常の居室として取り扱われ床面積に算入されてしまうことがある。これに対し、本参考例では、換気用天井の下方に梁を設けており、天井高はこの梁の高さを基準にして計算されることとなるので、換気用天井の下方も、建物の床面積には算入されないこととなる。従って、決められている容積率を最大限に生かして建物を構成することができる。
【発明を実施するための最良の形態】
【００１７】
以下、本発明の一実施の形態を図面に基づいて説明する。
図１には、本実施形態の建物１が示されている。この建物１は基礎２の上に構築された二階建ての建物本体３と、この建物本体３の上部に設けられた屋根４とを備えて構成される。
【００１８】
図２には、建物本体３の一階部分の間取りが示されている。
図面手前（南側）の右側（東側）にはメインダイニング１５が設けられており、その北側にはユーティリティールーム１６が設けられている。さらにこのユーティリティールーム１６の北側には、キッチン１７が設置されている。
メインダイニング１５とユーティリティールーム１６の西側で、一階部分中央（図面中央部分）にはリビング１３が設置されている。リビング１３の南側にはサンルーム１４が、北側にはキッチン１７と連通したホール１２Ｂ及び二階部分につながる階段１８が設けられている。
また、リビング１３の西側はホール１２Ａを挟んで玄関１０およびオフィス１１となっている。
【００１９】
さらに、図３及び図４をも参照して説明すると、メインダイニング１５の南側の外壁には窓１５０が取り付けられており、東側の外壁には外気の流入口となる縦軸回転窓１５０Ａが設けられている。メインダイニング１５の東側の外壁の下部、すなわち、縦軸回転窓１５０Ａの下方には外気の流入口となる地窓１５０Ｂが設けられている。
【００２０】
キッチン１７の北側の壁に窓１７０が取り付けられており、東側の外壁には外気の流入口としての役割を果たす縦軸回転窓１７０Ａが取り付けられている。キッチン１７の東側の外壁の下部、すなわち、縦軸回転窓１７０Ａの下方には、外気の流入口となる地窓１７０Ｂが設けられている。
建物本体３には夏に東側から最も風が頻繁に吹きつけるため、外気の流入口である縦軸回転窓１５０Ａ，１７０Ａ、地窓１５０Ｂ，１７０Ｂは最も風が頻繁に吹きつける方向に面して設けられていることとなる。
【００２１】
リビング１３は一階部分の中央に設けられており、一階部分の部屋のなかで他の部屋に接する面積が最も大きい部屋となっている。
リビング１３の天井の一部は一階部分の他の部屋等の天井に比べ上方に突出し、天井位置が高く形成された換気用天井１３５となっている。この換気用天井１３５の床面からの高さ寸法は、具体的には３．７ｍとなっている。
また、換気用天井１３５を支持する壁の上部で、二階部分のバルコニー２４Ｂに隣接して設けられた蔵２５の壁の下部には、窓２５０Ｂが設けられている。この窓２５０Ｂは開閉可能なガラス窓で、リビング１３の換気用天井１３５付近に溜まった暖かい外気の排出口となる。
リビング１３の天井の一部が換気用天井１３５となっており、リビング１３の上方に位置する部屋の床の高さは、二階部分の他の部屋の床よりも高くなっているため、荷物等を収納する蔵２５とされている。
【００２２】
一階部分に取り込まれた外気の通路について説明する。この外気の通路は複数の部屋を通って形成されており、通路中の各部屋には空気の流入口または排出口となるドアや回転窓が設けられている。具体的には以下の通りである。
キッチン１７の縦軸回転窓１７０Ａまたは地窓１７０Ｂから取り込まれた外気はホール１２Ｂへ流れる。この空気の一部はホール１２Ｂとリビング１３との間に設けられたドア１２１Ｂあるいはその上部であって天井近傍に取り付けられた回転窓６を通り、リビング１３へ流れる。
従って、第一の通路はキッチン１７、ホール１２Ｂ、リビング１３を通る通路となる。
【００２３】
また、残りの空気は、ホール１２Ｂとオフィス１１との間に設けられたドア１２２またその上部に設けられた回転窓６を介してオフィス１１へ抜ける。このオフィス１１へ抜けた空気はオフィス１１と玄関１０との間のドア１１１あるいはその上部の回転窓６を通って玄関１０へ流れる。さらに、この玄関１０へ流れた空気はホール１２Ａへ抜け、ホール１２Ａとリビング１３との間に設けられたドア１２１Ａあるいは、その上部の回転窓６を通り、リビング１３へ流れる。
従って、第二の通路は、キッチン１７、ホール１２Ｂ、オフィス１１、玄関１０、ホール１２Ａ、リビング１３を通る通路となる。
【００２４】
一方、メインダイニング１５の縦軸回転窓１５０Ａまたは地窓１５０Ｂから取り込まれた外気はメインダイニング１５とリビング１３との間のドア１５１あるいはその上部であって天井近傍に設けられた回転窓６を通り、リビング１３へ流れる。
従って、第三の通路はメインダイニング１５とリビング１３とを通る通路となる。
リビング１３に溜まった空気はリビング１３の換気用天井１３５付近に集まり、窓２５０Ｂを開いておけば、窓２５０Ｂから排出される。
【００２５】
図５には建物本体３の二階部分の間取りが示されている。
図面手前（南側）の右側（東側）には個室２７が設けられており、その北側は前室２８Ｂおよび洗面所２９となっている。この前室２８Ｂおよび洗面所２９の北側にはセールスオフィス３０が設けられている。
個室２７及び前室２８Ｂに隣接し、リビング１３の上方に当たる部分には蔵２５が設けられ、この蔵２５の北側はライブラリーホール２６、西側はメインベッドルーム２０及び前室２８Ａとなっている。ライブラリーホール２６は前室２８Ａ，２８Ｂと連通している。また、蔵２５は前室２８Ａ、２８Ｂから入ることができるようになっている。
ライブラリーホール２６の北側には一階からつながる階段１８が形成されている。
【００２６】
蔵２５及びメインベッドルーム２０に南側にはバルコニー２４Ｂが取り付けられている。メインベッドルーム２０には、バルコニー２４Ｂへつながり、バルコニー２４Ｂへの出入りに使用される窓２００が形成されている。
前室２８Ａの西側でメインベッドルーム２０の北側に位置する部屋はパウダールーム２１となっており、このパウダールーム２１の北側はバルコニー２４Ａが取り付けられた浴室兼サニタリールーム２２となっている。
【００２７】
一階部分と同様、図３及び図４をも参照して説明すると、個室２７の南側の外壁には窓２７０が設けられており、東側の外壁には外気を取り入れるための流入口としての窓２７０Ａが設けられている。また、個室２７の天井の一部は吹抜けになっており、この吹抜けの上部の屋根４にはトップライト４０が取り付けられている。
セールスオフィス３０の北側の外壁には窓３００が設けられており、東側の外壁には外気の流入口として窓３００Ａが設けられている。
前述したように建物本体３の東側の壁には夏に最も風が頻繁に吹きつけるため、窓３００Ａ、窓２７０Ａは最も風が頻繁に吹きつける方向に面して設けられていることとなる。
【００２８】
蔵２５にはバルコニー２４Ｂに面して窓２５０Ａが取り付けられている。
蔵２５の天井と屋根４との隙間には小屋裏５が形成されており、蔵２５の天井のうちライブラリーホール２６側の天井は換気用天井２５５となっている。この換気用天井２５５の蔵２５の床面からの高さ寸法は居住者の身長よりも高い寸法となっており、具体的には１９０ｃｍ程度となっている。
換気用天井２５５の下方であって、換気用天井２５５を支持する壁には、３本の梁９が掛け渡されている。この梁９は蔵２５の換気用天井２５５以外の部分の天井と同じ高さ位置、具体的には蔵２５の床面から１４０ｃｍ程度の高さ位置に取り付けられている。
また、換気用天井２５５を支持する壁の上端部には、小屋裏５と連通する排気口２５２が設けられている。屋根４の排気口２５２の上方部分には、屋根４から上方へ突出し、小屋裏５と連通して、排気口２５２から排気された空気を屋外へ排気するための排気塔８が設けられている。
【００２９】
排気塔８は、小屋裏５と連通した筒状の排気塔本体８０と、小屋裏５からの空気が排気される排気塔本体８０の開口及び排気塔本体８０の側面を覆うように設けられるカバー８１とを有している。このカバー８１は底面が開口した箱形形状であり、排気塔本体８０の開口及び側面とカバー８１との間には空気が排出される隙間が形成されている。また、カバー８１の側面には、その周方向に沿って複数本の通気孔８１２が形成されており、各通気孔８１２の上部には下向きのルーバ８１３が設けられている。排気口２５２から排気された空気は、排気塔本体８０を通り、排気塔本体８０の開口及び側面とカバー８１との間の隙間を通って通気孔８１２から排出される。
【００３０】
二階部分の外気の通路について説明する。この外気の通路は一階部分の通路と同様、複数の部屋を通って形成されており、通路中の各部屋には空気の流入口または排出口となるドアや回転窓が設けられている。具体的には以下の通りである。
個室２７の外気の流入口である窓２７０Ａから取り込まれた外気は、前室２８Ｂとの間に設けられたドア２７１あるいは、その上部に取り付けられた回転窓６を通り、前室２８Ｂあるいはライブラリーホール２６へ抜ける。前室２８Ｂに流れた空気は、前室２８Ｂから蔵２５へ入る入り口を通って、蔵２５に溜まる。
従って、第四の通路は個室２７、前室２８Ｂ、蔵２５を通る通路となる。
【００３１】
一方、セールスオフィス３０の窓３００Ａから取り込まれた外気は、セールスオフィス３０と前室２８Ｂとの間のドア３０１あるいは、その上部に設けられている回転窓（図示略）を通り、前室２８と連通するライブラリーホール２６へ抜ける。
このようにして個室２７またはセールスオフィス３０からライブラリーホール２６へ抜けた空気の一部はライブラリーホール２６と蔵２５とを隔てる壁の上部の回転窓６を介して、蔵２５へ流れる。
従って、第五の通路は個室２７またはセールスオフィス３０、前室２８、ライブラリーホール２６、蔵２５を通る通路となる。
【００３２】
ライブラリーホール２６へ抜けた残りの空気はライブラリーホール２６と浴室兼サニタリールーム２２との間に設けられたドア２６１あるいはその上部の回転窓６を介して浴室兼サニタリールーム２２へ流れる。さらに、この空気は浴室兼サニタリールーム２２とパウダールーム２１との間のドア２２１あるいはその上部の回転窓（図示略）を介してパウダールーム２１へ流れる。
この空気はパウダールーム２１とメインベッドルーム２０との間に設けられたドア２１１あるいはその上部の回転窓６を通って、メインベッドルーム２０へ流れ、さらに、メインベッドルーム２０と前室２８Ａとの間のドア２０１あるいはその上部の回転窓６を通り、前室２８Ａへ抜ける。前室２８Ａに流れた空気は、前室２８Ａから蔵２５へ入る入り口を通って、蔵２５に流入される。
従って、第六の通路は、個室２７またはセールスオフィス３０、前室２８、ライブラリーホール２６、浴室兼サニタリールーム２２、パウダールーム２１、メインベッドルーム２０、前室２８Ａ、蔵２５を通る通路となる。
【００３３】
このようにして蔵２５に流入された空気のうち、暖かい空気は換気用天井２５５付近に集まり、小屋裏５と連通する排気口２５２から排出される。排気口２５２から排出された空気は小屋裏５を通り、排気塔８から屋外へ排気される。
【００３４】
従って、本実施の形態によれば、以下の効果を奏することができる。
建物１には外気を取り入れる流入口である縦軸回転窓１５０Ａ等や地窓１５０Ｂ等及び排気口である窓２５０Ｂ等が設けられているため、建物１内部を外気が通り、換気装置を用いず、昔ながらの換気方法により建物１内部の自然換気を行うことができ、省エネルギーを図ることができる。また、この自然換気により建物１内部の除湿も行うことができる。
【００３５】
流入口である縦軸回転窓１５０Ａ等や地窓１５０Ｂ等は、所定の季節、具体的には夏の風が最も頻繁に吹く方向に面した部屋の外壁に設けられているため、効率よく建物１内に外気を取り入れることができる。
さらに流入口には縦軸回転窓１５０Ａ、１７０Ａが設けられており、風向きにあわせて開口角度を調節することで、より効率よく外気を建物１内部に取り入れることができる。
また、地窓１５０Ｂ、１７０Ｂはメインダイニング１５やキッチン１７の外壁の下部に設けられているため、各部屋の下部から涼風を積極的に取り入れることが可能となり、取り入れられた外気は天井近傍の回転窓６あるいはドア１５１、１２１Ｂを通り、リビング１３等へ抜ける。従って、上昇流によりメインダイニング１５やキッチン１７全体を換気することができる。さらに、この上昇流により、ダイニング１５やキッチン１７にいる居住者の皮膚蒸散効果を促進することができ、快適な居室空間を形成することができる。
【００３６】
さらにリビング１３の天井、蔵２５の天井の一部は高く形成された換気用天井１３５、２５５であり、その近傍には排気口である窓２５０Ｂあるいは排気口２５２が設けられているため、暖かい空気は換気用天井１３５、２５５にたまり、窓２５０Ｂまたは排気口２５２から排気される。従って、建物１内部の空気の流れがよくなり、より効率的に自然換気を行うことができる。また、換気用天井１３５、２５５の下方の居住空間あるいは作業スペースには暖かい空気は溜まらず、居住空間あるいは作業スペースの快適化を図ることができる。特に、換気用天井１３５は床面からの高さが３．７ｍと、居住者の身長よりもかなり高い高さ寸法となっているので、居住者は換気用天井１３５の輻射を感じることがない。
【００３７】
一階部分のリビング１３の天井の一部を通路中の他の天井よりも天井高さ位置が高く形成された換気用天井１３５としたため、その上方に設けられる二階の部屋を蔵２５等の収納部として利用すれば、二階の部屋の天井の高さを居住スペースとする場合に比べて高く形成する必要がないため、建物１の高さを高くしないですむ。
【００３８】
換気用天井２５５の下方に梁９を設けたため、換気用天井２５５を支持する壁の強度を高めることができる。また、梁９の配置される位置を蔵２５の換気用天井２５５以外の天井の高さに合わせることで、外観を良好なものとすることができる。
さらに、換気用天井２５５の天井高さは１９０ｃｍ程度と高いため、通常、この部分は蔵としてではなく、居室として扱われ床面積に算入されてしまう。これに対し、本実施形態では換気用天井２５５の下方に梁９を設けており、天井高はこの梁９を基準として計算されることとなるので、梁９の床面からの高さが１４０ｃｍ以下であれば床面積として算入されない。従って、決められている容積率を最大限に生かして建物１を構成することができる。
【００３９】
一階部分のリビング１３に設けられた排気口は、バルコニー２４Ｂが取り付けられる二階の壁に設けられた窓２５０Ｂであるため、メインベッドルーム２０からバルコニー２４Ｂへ出て、窓２５０Ｂを開閉することができ、特別な開閉手段を必要としないため、窓２５０Ｂの構造が簡単になる。
また、換気用天井１３５に流入された空気は、換気用天井１３５を支持する壁の上部に設けられている窓２５０Ｂから排出されるため、空気を排出するための配管等を設ける必要がなく、施工の煩雑化を防止することができる。
さらに、この窓２５０Ｂはガラス窓であるため、リビング１３の明かり取りにもなり、リビング１３の採光が良好となる。
個室２７の天井の一部は吹抜けになっており、この吹抜けの上部の屋根４にはトップライト４０が取り付けられており、このトップライト４０から太陽光が差し込むため、個室２７を明るい部屋とすることができる。
【００４０】
二階部分の蔵２５に設けられた排気口２５２は、蔵２５の天井と屋根４との間に設けられた小屋裏５へつながっており、排気口２５２から排出された空気は小屋裏５を通って屋外へ排気されるため、排気のための配管等を設ける必要がなく、施工の煩雑化を防止することができる。また、二階部分の空気は蔵２５に設けられた排気口２５２から排気されるので蔵２５内の換気が良好となり、収納物の保存状態を良好に維持できる。
【００４１】
また、屋根４には小屋裏５と連通する排気塔８が設けられ、小屋裏５から排気塔８までの高さを十分に確保できるため、優れた煙突効果が得られるようになり、効率よく排気できる。
【００４２】
外気が通る通路は複数の部屋を通って形成されており、通路中の部屋にはドアとは別に、その上部に回転窓６が設られており、この回転窓６が各部屋の空気の流入口または排出口としての役割を果たすため、ドアを閉めた状態でも、外気が通る通路を確実に確保することができ、自然換気を行うことができる。
また、外気が通る通路が複数の部屋を通って形成されているため、風が吹かない方向に面しており、換気が行いにくい部屋であっても換気を行うことが可能となる。
【００４３】
回転窓６は開閉可能であるため、冷暖房時には部屋を閉め切ることができ、冷暖房の効率を低下させることがない。
排気塔８のカバー８１の通気孔８１２の上部に下向きのルーバ８１３を設けたため、悪天候の場合、屋外から風雨の建物内部への浸入を防止することができる。
【００４４】
なお、本発明は前述の実施の形態に限定されるものではなく、本発明の目的を達成できる範囲での変形、改良等は本発明に含まれるものである。
例えば、前記実施形態では建物１の一階部分のリビング１３の天井を換気用天井１３５とし、窓２５０Ｂから外気を排出するものとしたが、他の部屋の天井を換気用天井とし、その天井付近に排出口を設けてもよい。
また、外気の流入口に縦軸回転窓１５０Ａ，１７０Ａを設けたが、これに限らず、引き違い窓や横軸回転窓を設けてもよい。
【００４５】
さらに、前記実施形態では、外気が通る通路は各部屋に設けられたドアとは別に形成された回転窓６を含んで形成されているとしていたが、本発明ではドアをあけて通路を形成してもよい。また、回転窓６を取り付けたが、引き違い窓等の開閉可能な窓を設けてもよく、さらには単に開口を形成しただけとし、窓を取り付けなくてもよい。
【００４６】
前記実施形態では、一階部分のリビング１３に設けられた排気口は、バルコニー２４Ｂが取り付けられる二階の壁に設けられた窓２５０Ｂとしたが、バルコニー２４Ｂが取り付けられる二階の壁に限らず、屋外に面している壁に排気口を設けてもよい。さらには、壁内部に排気用の空間を設け、この空間に連通する排気口を設けることで、壁を利用して排気してもよい。
また、一階部分に換気用天井を設けず、階段１８を介して二階部分へ空気を送り、二階部分から屋外へ排出してもよい。
【００４７】
蔵２５の換気用天井２５５の下方には梁９を設けたが、梁９は設けられていなくてもよい。このようにすれば蔵２５の収納スペースをより大きく確保することができる。
さらに、換気用天井２５５の蔵２５の床面からの高さ寸法は居住者の身長よりも高い寸法としたが、これに限らず、居住者の身長よりも低いものとしてもよい。
また、地窓１５０Ｂ、１７０Ｂが設けられたメインダイニング１５やキッチン１７を上昇流により、換気するものとしたが、外気の通路中の他の部屋も上昇流により換気してもよい。上昇流により、他の部屋全体を換気することが可能となる。
さらに、外気の流入口である縦軸回転窓１５０Ａ，１７０Ａ等を夏に最も風が吹き付ける東側の壁に設けたが、秋や春、場合によっては冬に最も風が吹き付ける方向に面した壁に取り付けてもよい。
【００４８】
（発明の効果）
本発明の第１の参考例によれば、建物には外気を取り入れる流入口及び排気口が設けられているため、建物内部を外気が通り、換気装置を用いずに建物内部の自然換気を行うことができ、省エネルギーを図ることができる。また、外気が通る通路中の天井の一部に他の部分の天井よりも天井位置が高く形成された換気用天井が形成されているため、換気用天井付近にたまる空気も、排気口から排気することができる。従って、建物内部の空気の流れがよくなり、より効率的に自然換気を行うことができる。また、換気用天井の下方の居住空間には暖かい空気は溜まらず、居住空間の快適化を図ることができる。
さらに、流入口は、所定の季節、例えば、夏の最も風が頻繁に吹く方向に面して設けられているため、効率よく建物内に外気を取り入れることができる。
また、外気の通路は複数の部屋を通って形成されているため、外気を取り入れにくい部屋があっても、その部屋を通るように外気の通路を形成することでその部屋の換気が可能となる。
【００４９】
本発明の第２の参考例によれば、流入口に縦軸回転窓が設けられており、風向きにあわせて回転窓の開口角度を調節することで、より効率よく外気を建物内部に取り入れることができる。
本発明の第３の参考例によれば、部屋の外壁の下部に流入口が形成されているため、部屋の下方から外気を取り入れ、天井近傍から排出させることができる。従って、上昇流により室内全体を換気することができる。
【００５０】
本発明の第４の参考例によれば、居住者の身長よりも高い位置に換気用天井が形成されていれば、換気用天井に集められる暖かい空気を居住者が感じることが無く、居住空間を快適なものとすることができる。
本発明の第５の参考例によれば、換気用天井を支持する壁に梁を設けることで、換気用天井の支持強度を高めることができる。また、換気用天井が設けられた部屋の換気用天井よりも低い位置に形成されている天井の高さを低くし、この部屋を蔵等とした場合、前記天井の下方は居室として取り扱われず、建物の床面積に算入されない。しかし、換気用天井は天井高さが高いため、換気用天井の下方は通常の居室として取り扱われ床面積に算入されてしまうことがある。これに対し、本願では、換気用天井の下方に梁を設けており、天井高はこの梁の高さを基準にして計算されることとなるので、換気用天井の下方も、建物の床面積には算入されないこととなる。従って、決められている容積率を最大限に生かして建物を構成することができる。
【図面の簡単な説明】
【００５１】
【図１】本発明の実施形態にかかる建物を示す斜視図である。
【図２】前記建物の一階部分の間取りを示す平面図である。
【図３】前記建物の断面図である。
【図４】図３とは異なる方向からみた前記建物の断面図である。
【図５】前記建物の二階部分の間取りを示す平面図である。
【符号の説明】
【００５２】
１                        建物
３                        建物本体
４                        屋根
５                        小屋裏
８                        排気塔
２５                      蔵（換気用天井を有する部屋）
２５２                    排気口
２５５                    換気用天井
２７０Ａ，３００Ａ        窓（流入口）
【図１】
2007002666.tif 000003
【図２】
2007002666.tif 000004
【図３】
2007002666.tif 000005
【図４】
2007002666.tif 000006
【図５】
2007002666.tif 000007